(57)【要約】【課題】墓石や墓碑、灯篭等の重量物を、木枠等や発泡スチロールや古紙等を再生して成形した緩衝材等の使用を最小限にとどめて搬送することができ、しかも多くの備品を繰り返し使用することが可能で、梱包作業や開封作業を簡略化できるようにすることにより、極めて安価で、また環境にもやさしい石材等の重量物の搬送方法を提供することを目的とする。【解決手段】パレット上に搬送対象物を搭載して、パレットの周囲に製氷枠を組み立て、前記製氷枠内に細かい氷片を充填し、前記細かい氷片に上部から圧力をかけ細かい氷片を圧縮したのち冷凍庫に入れ養生させることで実用強度を持たせて得た搬送対象物入り凍結ブロックを、冷凍コンテナ等で搬送するようにしたことを特徴とする石材等の重量物の搬送方法。【選択図】      図１
2007176568.tif 000002
【特許請求の範囲】
【請求項１】
パレット上に搬送対象物を搭載して、パレットの周囲に製氷枠を組み立て、前記製氷枠内に細かい氷片を充填し、前記細かい氷片に上部から圧力をかけ細かい氷片を圧縮したのち冷凍庫に入れ養生させることで実用強度を持たせて得た搬送対象物入り凍結ブロックを、冷凍コンテナ等で搬送するようにしたことを特徴とする石材等の重量物の搬送方法。
【請求項２】
パレット上に搬送対象物を搭載した上、パレットの周囲を取り囲むように製氷枠を組み立て、前記製氷枠内に細かい氷片を充填し、前記細かい氷片に上部から圧力をかけ細かい氷片を圧縮したのち冷凍庫に入れ養生させることで実用強度を持たせて、その後製氷枠を取り除いて、搬送対象物入り凍結ブロックを冷凍コンテナ等で搬送するようにしたことを特徴とする石材等の重量物の搬送方法。
【請求項３】
搬送終了後は、自然解凍または強制解凍により凍結した細かい氷片を融解するようにしたことを特徴とする請求項１ないし２のいずれかに記載の石材等の重量物の搬送方法。
【発明の詳細な説明】
【技術分野】
【０００１】
この発明は、墓石や墓碑、灯篭等の重量物を搬送する際に適用される石材等の重量物の搬送方法に関するものである。
【背景技術】
【０００２】
従来、墓石や墓碑、灯篭等の重量物を搬送する場合、一つずつ木枠等の梱包材で梱包するか、複数個をまとめて木枠等の梱包材で梱包した上、コンテナ等で搬送するようにしている。その際、木枠等と墓石や墓碑、灯篭等の隙間に発泡スチロールや古紙等を再生して成形した緩衝材等を充填し、墓石や墓碑、灯篭等が傷つくのを防止していた。
【０００３】
しかしながら、発泡スチロールや古紙等を再生して成形した緩衝材等は使用済みになると産業廃棄物となり、その取扱いに手間がかかる上、専門業者に金銭を払って処理を委託しなければならないといった課題があった。
また、木枠等と墓石や墓碑、灯篭等に応じて所望のサイズの木枠等を用意し、その木枠も繰り返し利用することができないため、産業廃棄物となり、その取扱いに手間がかかる上、専門業者に金銭を払って処理を委託しなければならず、いずれにしてもコストアップの原因となっていた。
さらに、梱包作業や開封時にかなりの手間がかかっていた。
【０００４】
他方、魚や肉類のような生鮮食料品を輸送する場合には、細かく砕いた氷を梱包体の隙間に充填していた。さらに、特開昭６１−１７０３２９号公報（特許文献１参照）のように、水筒内に入れた氷のような保冷材を用いて魚介類を休眠状態で輸送することも、すでに周知となっている。
【特許文献１】特開昭６１−１７０３２９号公報
【発明の開示】
【発明が解決しようとする課題】
【０００５】
しかしながら、墓石や墓碑、灯篭等の重量物を、木枠等や発泡スチロールや古紙等を再生して成形した緩衝材等を使用しないで搬送することが現実にはできないため、上述のような産業廃棄物の問題はなんら解決していない。
また、墓石や墓碑、灯篭等の重量物を収容した木枠の隙間に細かく砕いた氷を充填して搬送することはあまりにも現実離れした発想であり、そのような従来例を墓石や墓碑、灯篭等の重量物の搬送に適用することは誰にも想到できることではない。
そこで、この発明はかかる課題を解決しようとするもので、墓石や墓碑、灯篭等の重量物を、木枠等や発泡スチロールや古紙等を再生して成形した緩衝材等の使用を最小限にとどめて搬送することができ、しかも多くの備品を繰り返し使用することが可能で、梱包作業や開封作業を簡略化できるようにすることにより、極めて安価で、また環境にもやさしい石材等の重量物の搬送方法を提供することを目的とするものである。
【課題を解決するための手段】
【０００６】
すなわち、この発明に係る石材等の重量物の搬送方法は、パレット上に搬送対象物を搭載して、パレットの周囲に製氷枠を組み立て、前記製氷枠内に細かい氷片を充填し、前記細かい氷片に上部から圧力をかけ細かい氷片を圧縮したのち冷凍庫に入れ養生させることで実用強度を持たせて得た搬送対象物入り凍結ブロックを、冷凍コンテナ等で搬送するようにしたことを特徴とするものである。
【０００７】
この発明に係る石材等の重量物の搬送方法は、パレット上に搬送対象物を搭載した上、パレットの周囲を取り囲むように製氷枠を組み立て、前記製氷枠内に細かい氷片を充填し、前記細かい氷片に上部から圧力をかけ細かい氷片を圧縮したのち冷凍庫に入れ養生させることで実用強度を持たせて、その後製氷枠を取り除いて、搬送対象物入り凍結ブロックを冷凍コンテナ等で搬送するようにしたことを特徴とするものである。
【０００８】
この発明に係る石材等の重量物の搬送方法は、搬送終了後は、自然解凍または強制解凍により凍結した細かい氷片を融解するようにしたことをも特徴とするものである。
【発明の効果】
【０００９】
以上述べたように、この発明の石材等の重量物の搬送方法は、墓石や墓碑、灯篭等の重量物を、木枠等や発泡スチロールや古紙等を再生して成形した緩衝材等の使用を最小限にとどめて搬送することができ、しかも多くの備品を繰り返し使用することができるようになった。
【００１０】
また、複数の種類の墓石や墓碑、灯篭等の重量物であっても規格化されたサイズに梱包して搬送することができようになったので、極めて安価であり、また長いスパンで見た場合、木材や発泡スチロール等の使用量の減少により自然環境にもやさしい石材等の重量物の搬送方法を提供することが可能となった。
【発明を実施するための最良の形態】
【００１１】
以下、この発明に係る石材等の重量物の搬送方法の実施の形態を図面に基いて詳細に説明する。
図面はこの発明の石材等の重量物の搬送方法の１実施例を示し、図１は工程１の斜視図、図２は工程２の斜視図、図３は工程３の斜視図、図４は工程４の斜視図、図５は工程５の斜視図、図６は工程６の斜視図である。
【００１２】
この発明の石材等の重量物の搬送方法の１実施例を示す図１において、１は墓石や墓碑、灯篭等の石材からなる搬送対象物であり、該搬送対象物１は１個または複数個を積み上げて、木製やアルミその他の金属製のパレット３上に搭載されている。
【００１３】
図２の工程２においては、パレット３の周囲に複数の製氷枠１１を組み立て、搬送対象物１の上部までを覆うよう構成されている。
上記製氷枠１１の組立て構造としては、対向する一対の製氷枠１１にはめ込み溝を設けておき、他の一対の製氷枠１１をこのはめ込み溝にはめ込んだり、上下にＬ字状の金具をはめ込んだりすればよい。
【００１４】
図３の工程３においては、製氷枠１１内に細かい氷片１５を注入する。この細かい氷片１５は、適当な氷塊を細かく砕いて得られる微細な氷であればよい。
上記細かい氷片１５は、搬送対象物１の上部まで覆い隠す程度に製氷枠１１内に充填される。
【００１５】
図４の工程４においては、製氷枠１１内において充填された細かい氷片１５に上部から圧力をかけ、細かい氷片１５を圧縮凝固させる。その後、この圧縮凝固した細かい氷片に覆われた搬送対象物１を製氷枠１１ごと冷凍庫に移動させ、１時間から２時間程度養生させる。これにより、搬送対象物１を取り囲む細かい氷片１５はより強固に凍結し、実用強度を備えることができる。もちろん、この冷凍手段は、冷凍庫であってもそれ以外の液中に投入するタイプの冷凍機であってもよく、現場の状況に応じて適宜選択することができる。
【００１６】
図５の工程５においては、冷凍完了後に製氷枠１１を解体した状態を示している。製氷枠１１の解体は、金属製の製氷枠１１が製氷密着していた場合でも製氷枠１１を短時間加熱することで製氷枠内で圧縮された細かな氷片の表面のみを融解させる方法により、簡単に行なうことができる。
【００１７】
図６の工程６においては、工程５で得た搬送対象物１入りの凍結ブロックを示し、この状態で冷凍コンテナ等に収納して搬送するのである。
【００１８】
この実施例に係る石材等の重量物の搬送方法においては、搬送終了後において搬送対象物１入りの凍結ブロックは、自然解凍または強制解凍により凍結した細かい氷片を融解して、難なく取り出すことができる。
【産業上の利用可能性】
【００１９】
以上のように構成された、この発明の石材等の重量物の搬送方法は、墓石や墓碑、灯篭等の石材のみならず、他の重量物や凍結に支障のないものであれば、それ以外の搬送対象物にも適用することができる。
【図面の簡単な説明】
【００２０】
【図１】この発明の石材等の重量物の搬送方法の１実施例を示し、工程１の斜視図である。
【図２】工程２の斜視図である。
【図３】工程３の斜視図である。
【図４】工程４の斜視図である。
【図５】工程５の斜視図である。
【図６】工程６の斜視図である。
【符号の説明】
【００２１】
１  搬送対象物
３  パレット
１１  製氷枠
１５  細かい氷片
【図１】
2007176568.tif 000003
【図２】
2007176568.tif 000004
【図３】
2007176568.tif 000005
【図４】
2007176568.tif 000006
【図５】
2007176568.tif 000007
【図６】
2007176568.tif 000008